(57)【要約】【課題】発光装置本体をブラケット等を用いることなく取付けることを可能とし、また、その取付け位置を容易に変更することが可能な、携帯型発光体を提供する。【解決手段】発光装置本体をなすケース本体１０の側周部には、内側に向かう凹部溝からなる側周溝が全周に設けられており、ゴムバンド２０がこの側周溝に沿って配設されている。【選択図】        図１
2004287332.tif 000002
【特許請求の範囲】
【請求項１】
所定の厚みを有し、その側周部において内側に向かう凹部溝からなる側周溝を有し、発光体を備える本体部と、
前記側周溝に沿って配設され、両端部が前記側周溝から外方に露出した状態で連結される紐状部材と、
前記本体部に設けられ、前記側周溝からの前記紐状部材の脱落を防止するための紐状部材保持部材と、
を備える、携帯型発光体。
【請求項２】
前記発光体は、自己発光が可能な発光装置を有する、請求項１に記載の携帯型発光体。
【請求項３】
前記発光装置は、磁気の接近により点灯および消灯の制御が可能なリードスイッチを含み、
前記紐状部材には、前記リードスイッチの制御を行なうための磁石が取付けられる、請求項２に記載の携帯型発光体。
【請求項４】
前記発光体は、少なくともいずれか一方の表面側に設けられ、外部からの光を反射する反射部材を有する、請求項１から３のいずれかに記載の携帯型発光体。
【請求項５】
前記紐状部材は、伸縮自在な弾性部材からなる、請求項１から４のいずれかに記載の携帯型発光体。
【請求項６】
前記紐状部材の前記側周溝への巻付け長さを調節するための長さ調節部材をさらに備える、請求項１から５のいずれかに記載の携帯型発光体。
【請求項７】
前記本体部の少なくともいずれか一方の表面側の周端部には、前記側周溝を開放し前記紐状部材の係合が可能な切欠領域が設けられる、請求項１から６のいずれかに記載の携帯型発光体。
【発明の詳細な説明】
【０００１】
【発明の属する技術分野】
この発明は、携帯型発光体に関し、より特定的には、取付け位置を選ばない構造を備える、携帯型発光体に関する。
【０００２】
【従来の技術】
自転車等においては、夜間の走行時における安全性を確保するためにヘッドライトを設け、また、自己の存在を積極的アピールするために、自動車等のヘッドライトから照射される光を反射させるための反射板（リフレクタ処理領域）や、ＬＥＤ等の自己発光型の発光装置を自転車等に設けたりしている。たとえば、自転車に発光装置を取付けるものとしては、下記の特許文献１が挙げられる。
【０００３】
【特許文献１】
実開平４―１００９７５号公報
【０００４】
【発明が解決しようとする課題】
しかし、上記特許文献１に開示される発光装置等においては、発光装置本体を自転車に取付けるために専用の取付けブラケットが必要になる。また、ブラケットの取付け位置には制約があるとともに、一旦取付け位置を固定してしまうと、取付け位置を容易に変更できないとういう煩わしさも生じる。このような課題は、自転車等に取付ける発光装置だけでなく、オートバイその他取付けに際してブラケットが必要になる発光装置全般に生じるものである。
【０００５】
したがって、この発明は上記課題を解決するためになされたものであり、発光装置本体をブラケット等を用いることなく取付けることを可能とし、また、その取付け位置を容易に変更することが可能な、携帯型発光体を提供することを目的とする。
【０００６】
【課題を解決するための手段】
上記課題を解決すため、この発明に基いた携帯型発光体においては、所定の厚みを有し、その側周部において内側に向かう凹部溝からなる側周溝を有し、発光体を備える本体部と、上記側周溝に沿って配設され、両端部が上記側周溝から露出した状態で連結される紐状部材と、上記本体部に設けられ、上記側周溝からの上記紐状部材の脱落を防止するための紐状部材保持部材とを備える。
【０００７】
上記構成からなる携帯型発光体によれば、紐状部材を用いて発光体を備える本体部を他の物に取付けることが可能であるため、取付け位置に制約がなく、自由な位置に本体部を取付けることを可能とする。
【０００８】
さらに、側周溝に沿って紐状部材を配設していることから、紐状部材が本体部の表面側に位置することがない。これにより、本体部に備えられる発光体を紐状部材により遮ることがないため、比較的小型の本体部においても、その表面領域全体を有効に利用した発光体を設けることが可能になる。
【０００９】
また、上記発明において好ましい形態としては、上記発光体は、自己発光が可能な発光装置を有する。さらに好ましい形態としては、上記発光装置は、磁気の接近により点灯および消灯の制御が可能なリードスイッチを含み、上記紐状部材には、上記リードスイッチの制御を行なうための磁石が取付けられる。
【００１０】
これにより、夜間の使用においては、暗い場所においても、発光装置の発光により自己の位置、存在を明確にアピールすることが可能になり、交通安全上、防犯上、不慮の事態を回避することが可能になる。また、リードスイッチの制御を行なうための磁石が紐状部材に取付けられることにより、スイッチとしての磁石を紛失することなく、使用者の利便性の向上を図ることが可能となる。
【００１１】
また、上記発明において好ましい形態としては、上記発光体は、少なくともいずれか一方の表面側に設けられ、外部からの光を反射する反射部材を有する。この構成によっても、夜間における自己の位置、存在を明確にアピールすることが可能になり、交通安全上、不慮の事態を回避することが可能になる。
【００１２】
また、上記発明において好ましい形態としては、上記紐状部材は、伸縮自在な弾性部材からなる。また、上記紐状部材の前記側周溝への巻付け長さを調節するための長さ調節部材をさらに備える。これにより、本体部を紐状部材の弾性力を利用して他の物に取付けることができるため、本体部に他の物の側に向かう付勢力を生じさせることにより、他の物に対する本体部の位置ずれ等を防止することができるとともに、本体部の取付けを容易に行なうことが可能になる。また、本体部の取外しも容易に行なうことが可能になる。
【００１３】
また、上記発明において好ましい形態としては、上記本体部の少なくともいずれか一方の表面側の周端部には、上記側周溝を開放し上記紐状部材の係合が可能な切欠領域が設けられる。この領域に紐状部材を通過させることにより、本体部の他の物への取付けの際に、本体部の取付け角度の調節を容易に行なうことができるようになり、取扱性の向上を図ることが可能になる。
【００１４】
【発明の実施の形態】
以下、この発明に基づいた実施の形態における携帯型発光体の構造について、図を参照しながら説明する。
【００１５】
（携帯型発光体１Ａの構造）
まず、図１および図２を参照して、本実施の形態における携帯型発光体１Ａの全体構造について説明する。図１は、本実施の形態における携帯型発光体１Ａの平面図であり、図２は、本実施の形態における携帯型発光体１Ａの底面図である。
【００１６】
この携帯型発光体１Ａは、所定の厚みを有する本体部としてのケース本体１０と、このケース本体１０の側周部にその一部が巻き付けられるように配設される紐状部材としてのゴムバンド２０と、ゴムバンド２０の両端部をケース本体１０から外方に向かった状態で連結するための樹脂製の連結部材４０と、ゴムバンド２０のケース本体１０の巻付け長さを調節（図１中の矢印Ａにスライドさせて調節）するためのアジャスタ３０とを備えている。
【００１７】
ケース本体１０の外形は略楕円形状を有し、長尺側が約４２ｍｍ、短尺側が約３８ｍｍ程度である。また、その厚さは、中央部領域で約１６ｍｍ、周端部領域で約８ｍｍ程度である。
【００１８】
ケース本体１０の側周部には、内側に向かう凹部溝からなる側周溝１３（後述）が全周に設けられており、ゴムバンド２０はこの側周溝１３に沿って配設されている。
【００１９】
ケース本体１０の内部には、ケース本体１０の表面側に向かって光を発するための発光体としてのＬＥＤ５０，５０が内蔵されている。このＬＥＤ５０，５０には、磁気の接近により点灯および消灯の制御が可能なリードスイッチ５２が採用されている。このリードスイッチ５２の上記制御を行なうための磁石は、上記連結部材４０に埋め込まれている。ＬＥＤ５０，５０の磁気の接近による点灯制御としては、連続点灯および断続点灯等が挙げられる。
【００２０】
ケース本体１０の裏面側の周端部には、側周溝１３を開放しゴムバンド２０の係合が可能な切欠１９が十字状の位置に４箇所設けられている。また、ケース本体１０の裏面側には、外部からの光を反射するリフレクタ処理領域１８が設けられている。なお、リフレクタ処理が施された反射板を張付けることも可能である。また、裏面側には、十字状の凹部領域１７が設けられている。
【００２１】
次に、ケース本体１０の詳細構造について、図３および図４を参照して説明する。なお、図３は図１中ＩＩＩ−ＩＩＩ線矢視断面図であり、図４は図１中ＩＶ−ＩＶ線矢視断面図である。
【００２２】
ケース本体１０は、表面側と裏面側とに２分割される構造からなり、第１ケース１１と第２ケース１２とを有している。いずれも樹脂成型品からなり、特に第１ケース１１は、内部に設けられるＬＥＤ５０，５０から発せられる光を外部に透過させるため、ある程度の透光性のある樹脂材料が用いられている。また、第１ケース１１の内面に、ＬＥＤ５０，５０から発せられる光を拡散させるために、フレネルレンズ等を構成する所定の凹凸加工を施すことも可能である。
【００２３】
第１ケース１１には、雌ネジ領域１１ａが設けられ、第２ケース１２には、雄ネジ領域１２ａが設けられ、雌ネジ領域１１ａと雄ネジ領域１２ａとが図示するように螺合することにより、第１ケース１１と第２ケース１２との結合を可能とする。なお、内部の防水性を高めるために、第１ケース１１と第２ケース１２との間にシール部材を介在させることも可能である。
【００２４】
ケース本体１０の側周溝１３は、第１ケース１１と第２ケース１２とによって規定され、第２ケース１２には、側周溝１３からのゴムバンド２０の脱落を防止するため、ゴムバンド２０を通過させてゴムバンド２０を保持する通過孔を備えるガイド領域１２ｂが設けられている。
【００２５】
ケース本体１０の内部には、ＬＥＤ５０，５０の点滅・発光を制御するための制御装置５１（電池を含む）が内蔵されている。本実施の形態においては、磁石を内蔵した連結部材４０によるリードスイッチ５２の制御を確実に行なものとし、また、ＬＥＤ５０，５０とリードスイッチ５２とを効率良く（容積を大きくすることなく）収容するため、ＬＥＤ５０，５０を比較的外側に配置し、ＬＥＤ５０，５０の間において、ＬＥＤ５０，５０を結ぶ直線に対して直交する方向に沿ってリードスイッチ５２を配設している。
【００２６】
（使用形態および作用・効果）
次に、上記携帯型発光体１Ａの使用形態について、図５を参照して説明する。なお、図５は、自転車および自転車の運転者に対して、本携帯型発光体１Ａを使用した場合の状態を示す図である。
【００２７】
上記構成からなる携帯型発光体１Ａによれば、ゴムバンド２０を用いてケース本体１０を取付けることが可能であるため、取付け位置に制約がなく、自転車のフロントフォーク１０１への取付け、バックフォーク１０２への取付け、図示ししていないが、ハンドルバー、シートポストへの取付けが可能である。また、場合によってはケース本体１０の形状を選択することによりリムへの取付けも可能となる。
【００２８】
また、自転車への取付けだけでなく、ゴムバンド２０を用いて運転者の所有するヘルメット１０３、デイバッグ１０５への取付け、運転者自身の腕部領域１０４、脚部領域１０６等への取付けも可能となる。
【００２９】
また、ケース本体１０をゴムバンド２０の弾性力を利用して自転車および運転者に取付けることができるため、ケース本体１０に自転車および運転者側に向かう付勢力を生じさせているため、ケース本体１０の位置ずれ等を防止することができるとともに、ケース本体１０の取付けを容易に行なうことができ。また、ケース本体１０の取外しも容易に行なうことができる。さらに、ケース本体１０の裏面側の周端部に切欠１９が設けることにより、この切欠１９にゴムバンド２０を通過させることにより、ケース本体１０の取付け角度の調節を容易に行なうことができる。
【００３０】
さらに、側周溝１３に沿ってゴムバンド２０を配設していることから、ゴムバンド２０がケース本体１０の表面側に位置することがない。これにより、ＬＤＥ５０，５０からの発光がゴムバンド２０によって遮られることがなく、ＬＤＥ５０，５０の発光を十分に生かすことが可能になる。
【００３１】
なお、上記携帯型発光体１Ａの変形例として、図６〜図８に示す携帯型発光体１Ｂが考えられる。たとえば、図６に示すように、携帯型発光体１Ａの裏面側にある程度の容量からなる凹部空間１５を設け、また、この凹部空間１５の開閉（図中矢印Ｂ方向）のためのカバー１６を設ける。このカバー１６は、樹脂製、ゴム製等が考えられる。また、図７に示すように、凹部空間１５に、エマージェンシーミラーやネームプレート、使用者の医療情報カード等を収容させても良い。さらに、図８に示すように方位磁石を収容することも可能である。
【００３２】
なお、上記携帯型発光体１Ａ，１Ｂにおいて、ケース本体１０の形態は、本実施の形態の形状に限られるものではなく、円形、矩形等その他デザイン上の様々な形状の採用が可能である。また、ゴムバンド２０は、好ましくは弾性を有する紐状部材であれば、様々な材質のものの適用が可能である。また、ケース本体１０においては、ＬＤＥ５０，５０等の発光装置を内部に収容する必用がなければ、内部に装置を収容するためのケース状とする必要はなく、所定の厚さを有する板状体の部材を用いることも可能である。
【００３３】
また上記携帯型発光体１Ａ，１Ｂは、使用形態として好ましいものを開示したものであり、たとえば、ＬＤＥ５０，５０を設けず、ケース本体１０の両面に、反射板を設ける構成の採用も可能である。
【００３４】
したがって、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【００３５】
【発明の効果】
この発明に基いた携帯型発光体によれば、発光装置本体をブラケット等を用いることなく取付けることを可能とし、また、その取付け位置を容易に変更することが可能な、携帯型発光体を提供することを可能とする。
【図面の簡単な説明】
【図１】本実施の形態における携帯型発光体の平面図である。
【図２】本実施の形態における携帯型発光体の底面図である。
【図３】図１中ＩＩＩ−ＩＩＩ線矢視断面図である。
【図４】図１中ＩＶ−ＩＶ線矢視断面図である。
【図５】自転車および自転車の運転者に対して、携帯型発光体を使用した場合の状態を示す図である。
【図６】本実施の形態における他の携帯型発光体の底面側からの斜視図である。
【図７】本実施の形態におけるさらに他の携帯型発光体の底面図である。
【図８】本実施の形態におけるさらに他の携帯型発光体の底面図である。
【符号の説明】
１Ａ、１Ｂ  携帯型発光体、１０  ケース本体、１１  第１ケース、１１ａ  雌ネジ領域、１２  第２ケース、１２ａ  雄ネジ領域、１２ｂ  ガイド領域、１３  側周溝、１５  凹部空間、１６  カバー、１７  凹部領域、１８  リフレクタ処理領域、１９  切欠、２０  ゴムバンド、３０  アジャスタ、４０  連結部材、５０  ＬＥＤ、５１  制御装置（電池を含む）、５２  リードスイッチ、１０１  フロントフォーク、１０２  バックフォーク、１０３  ヘルメット、１０４  腕部領域、１０５  デイバッグ、１０６  脚部領域。
【図１】
2004287332.tif 000003
【図２】
2004287332.tif 000004
【図３】
2004287332.tif 000005
【図４】
2004287332.tif 000006
【図５】
2004287332.tif 000007
【図６】
2004287332.tif 000008
【図７】
2004287332.tif 000009
【図８】
2004287332.tif 000010